(57)【要約】【課題】比較的低コストでありながら高い商品価値を有する新規なボード、特に建築ボードを提供する。【解決手段】本発明のボードは、基層と該基層の表面に施された化粧層と該化粧層表面に貼着された保護シートとを備え、該化粧層は、スラリー状にせしめられた硬化性組成物の混練物の層を固化することにより形成されたものであり、該化粧層の表面には、前記保護シートの内面に形成された像が、該混練物の層の表面に転写され且つ該混練物層の固化によって固定されていることを特徴とする。【選択図】図３
2007205156.tif 000002
【特許請求の範囲】
【請求項１】
基層と該基層の表面に施された化粧層と該化粧層表面に貼着された保護シートとを備え、該化粧層は、スラリー状にせしめられた硬化性組成物の混練物の層を固化することにより形成されたものであり、該化粧層の表面には、前記保護シートの内面に形成された像が、該混練物の層の表面に転写され且つ該混練物層の固化によって固定されていることを特徴とする建築用ボード。
【請求項２】
前記像は、前記化粧層の側縁部に沿って延在する、目地化粧部材を貼着するときの位置決め用の直線である、請求項１記載の建築用ボード。
【請求項３】
基層と、該基層の表面に形成された漆喰からなる化粧層とからなり、該化粧層の表面には、絵画像、模様或いは写真画像が浸透して固定されていることを特徴とするボード。
【請求項４】
保護シートの表面に像を印刷し、基層の表面に設けられている水酸化カルシウムと水との混練物からなる硬化性スラリー層の表面に、前記保護シートの像形成面を重ね合わせ、次いで、前記硬化性スラリー層を硬化せしめて漆喰層を形成した後、保護シートを引き剥がすことを特徴とする漆喰層への像の転写方法。
【発明の詳細な説明】
【技術分野】
【０００１】
本発明は、像の転写を利用して作製されるボード、特に建築用ボードに関するものであり、さらには、このボードの作製に利用される像の転写方法に関する。
【背景技術】
【０００２】
建築物の内装あるいは外装の様式としては、近時、表面に化粧層を備えた建築用ボードを下地の表面に装着することが提案されている。このような建築用ボードは、一般に、矩形板状である基層と、この基層の表面に施された化粧層とから構成され、概略、次のようにして製造される。すなわち、所定方向に移動させられる基層と同期してかつこの基層の表面に対し一定の間隔をおいて移動しうるよう保護シートが連続的に送給される。そして保護シートの片面に、スラリー状にせしめられた硬化性組成物の混練物が付着せしめられることにより、基層、基層上に配置された混練物、及び混練物上に配置された保護シートからなる積層体が形成される。
【０００３】
上述したとおりにして形成された積層体は、適宜の方法、例えば所要環境に所要時間放置することによって混練物が固化せしめられ、建築用ボードにせしめられる。このような建築用ボードにおいて、混練物の固化体は化粧層を構成する。保護シートは混練物が固化した後に除去することもできるが、化粧層の保護層として建築用ボードを実際に使用するまで化粧層上に積層せしめておくのが好ましい。なおこのような製造方法は、特許文献１に開示されているので、これ以上の詳細な説明は省略する。上記の如く製造された建築用ボードを各々の側縁を隣接せしめて下地に沿って並列に配置することにより、表面が化粧層に覆われた壁が従来の左官工事に較べて著しく容易に形成される。
【０００４】
建築用ボードを使用する場合、下地上に側面を隣接せしめて並列に配置した建築用ボードの境界すなわち目地がそのまま露呈されると、望ましくない外観を呈する。したがって、目地を適宜に化粧することが必要である。そこで、表面に適宜の化粧層を施した目地化粧部材を、並列に配置された建築用ボードの目地に沿ってかつ建築用ボードの隣接側縁部の表面に跨がって延在するように、建築用ボードの隣接側縁部に接着する方法が提案されている（例えば、本出願人による特願平９−２５４０８９号明細書参照）。
建築用ボードは、保護シートを剥離した状態で釘あるいは接着により下地上に固定される。その後、目地化粧部材が施されて隣接する建築用ボード間の目地が化粧される。目地化粧部材は、例えば一定の幅と長方形の横断面形状を有する薄いシート状の本体を有し、本体の片面には接着層が配設されている。目地化粧部材を建築用ボードの隣接側縁部上に接着せしめる前の状態においては、接着層の表面は剥離自在なカバーフィルムによって被覆されている。上述したとおりの目地化粧部材は、カバーフィルムを剥離して接着層の表面を露呈せしめ、接着層を建築用ボードの目地に沿ってかつ建築用ボードの隣接側縁部の表面に跨がって押圧せしめ、上記表面に接着させられる。
【特許文献１】特開平１０−２３５８２２号公報
【発明の開示】
【発明が解決しようとする課題】
【０００５】
上記の如き目地の化粧作業を遂行するに際しては、目地化粧部材を、下地に固定された建築用ボード間の目地に沿ってかつ建築用ボードの隣接側縁部の表面に跨がって直線状に正確に貼着しなければならない。この貼着作業を容易かつ正確に遂行するためには、建築用ボードの隣接側縁部の表面に、目地化粧部材を貼着するときの位置決め用の直線を予め描いておくことが望まれる。しかしながら上記の如く、建築用ボードは、基層、基層の表面に施された混練物、混練物の上に配置された保護シートからなる３層の積層体（３層構造）として製造され、混練物を固化せしめて化粧層を生成した状態においても、上記の如き積層体は維持されているので、製造過程において化粧層の表面に直線を描くことはできなかった。このため上記の如き目地の化粧作業は熟練を要する職人作業となり、その結果、施工時間が長くなり、施工費用が高くなる、との問題を有していた。
【０００６】
この問題を解決するため、建築用ボードの使用に際し、化粧層の表面から保護シートを除去（剥離）した後に、人手により側縁部における化粧層の表面に直線を描くことも考えられる。しかしながらこの方法は、人手による作業工程が増加する、直線を描く作業そのものが比較的面倒である、等の問題を有しており、したがって依然として上記問題は解決されておらず、改善が望まれているところであった。
【０００７】
化粧層の表面に上記の如き直線を描くことは、目地の化粧作業を容易かつ確実に遂行するための重要な要件である。他方、更に広い概念でいえば、化粧層の表面に像、例えば、模様、図形、絵、写真、文字、記号、線等を、所望のとおりに正確に形成することは、内装あるいは外装としての商品価値を高めるためにも望ましいことである。本発明者等の研究によれば、上記の如き構成を有する建築用ボードを建築物に実際に適用した場合、化粧層の表面に模様、図形、絵、写真、文字、記号、線等の所望の像を形成すると、内装あるいは外装としての商品価値を相当増大せしめることができる、ことが判明した。しかしながら上記したとおりの理由により、製造過程において化粧層の表面に所望する模様等の像を形成することはできない、というのが実情であった。
【０００８】
本出願人による上記特許文献１には、顔料を含有する硬化性組成物の混練物を固化せしめて形成される化粧層の表面に顔料を不均一に分散せしめることによって、化粧層の表面に意匠的に優れた濃淡模様を現出せしめてなる、建築用ボード及びその製造方法が開示されている。この発明は、内装あるいは外装としての商品価値を高める上で有用なものであるが、模様、図形、絵等の所望する像を、化粧層の表面に所望のとおりに正確に形成することができるものではない。
【０００９】
そこで化粧層の表面から保護シートを剥離した後に、化粧層の表面に所望する模様等の像を形成することも考えられる。しかしながらこの方法は、不可能ではないにしても実用上は著しく困難であり、製造コスト及び製造時間を大幅に増大させることになる。
【００１０】
本発明は上記事実に基づいてなされたものであり、その目的は、比較的低コストでありながら高い商品価値を有する、新規なボードを提供することである。
【００１１】
本発明の他の目的は、目地の化粧作業を容易かつ確実に遂行することができる、新規なボードを提供することである。
【００１２】
本発明の更に他の目的は、上記の高い商品価値を有するボードの製造に利用される像の転写方法を提供することである。
【００１３】
本発明のその他の目的及び特徴は、本発明に従って構成されたボードの製造方法の実施形態について添付図面を参照して詳細に説明する後の記載から明らかになるであろう。
【課題を解決するための手段】
【００１４】
本発明によれば、基層と該基層の表面に施された化粧層と該化粧層表面に貼着された保護シートとを備え、該化粧層は、スラリー状にせしめられた硬化性組成物の混練物の層を固化することにより形成されたものであり、該化粧層の表面には、前記保護シートの内面に形成された像が、該混練物の層の表面に転写され且つ該混練物層の固化によって固定されていることを特徴とする建築用ボードが提供される。
【００１５】
本発明の建築用ボードにおいて、前記像は、前記化粧層の側縁部に沿って延在する、目地化粧部材を貼着するときの位置決め用の直線であることが好ましい。
【００１６】
また、上記のような建築用ボードは、
一方の面に像が形成された保護シートを用意し、
前記保護シートの像形成面に、スラリー状にせしめられた硬化性組成物の混練物を塗布して混練物層を形成し、
前記混練物層の表面に、前記基層を付着せしめて、該基層、該混練物層及び前記保護シートが、この順に積層された積層体を形成し、
次いで前記混練物層を固化して、該混練物層を前記化粧層に転化せしめることにより製造することができる。
【００１７】
本発明によれば、また、基層と、該基層の表面に形成された漆喰からなる化粧層とからなり、該化粧層の表面には、絵画像、模様或いは写真画像が浸透して固定されていることを特徴とするボードが提供される。
【００１８】
本発明によれば、また、保護シートの表面に像を印刷し、基層の表面に設けられている水酸化カルシウムと水との混練物からなる硬化性スラリー層の表面に、前記保護シートの像形成面を重ね合わせ、次いで、前記硬化性スラリー層を硬化せしめて漆喰層を形成した後、保護シートを引き剥がすことを特徴とする漆喰層への像の転写方法が提供される。
【発明の効果】
【００１９】
上記発明に係るボードによれば、化粧層の表面に所定の像が、密着された保護シートからの転写により形成されているので、保護シートを除去するのみで、直ちにこれを建築物の内装あるいは外装として使用することができる。その結果、比較的低コストでその商品価値を高めることができる。
【００２０】
転写せしめられた像を側縁部に沿って延在する、目地化粧部材を貼着するときの位置決め用の直線として形成した場合には、ボード間の目地の化粧作業を容易かつ確実にせしめることができる。その結果、施工時間を短縮し、施工費用を低減させることができる。
【００２１】
上記発明によれば、保護シートの片面上の所要部位には、混練物が付着される前に所定の像が形成される。したがって、像形成材料が油性又は水性のインキ、塗料、墨等であれば、それらが乾燥しないうちに像の上にスラリー状の混練物が付着されるので、保護シートの片面上に形成された像は混練物の表面に直ちに転写せしめられる。その結果、混練物が固化せしめられて生成された化粧層の表面には、該像が転写された状態で形成されることになる。他方、像形成材料が鉛筆の芯等の粉体であっても、この像の上に付着される混練物はスラリー状である故に、像は混練物の表面に直ちに転写せしめられる。その結果、混練物が固化せしめられて生成された化粧層の表面には、該像が転写された状態で形成されることになる。以上の説明から明らかなように、上記方法によれば、高い商品価値を有する建築用ボードを、比較的低コストでしかも自動的に、容易かつ安定して製造することができる。上記方法によればまた、化粧層の表面に所望のとおりの像が形成された建築用ボードを、比較的低コストでしかも自動的に、容易かつ安定して製造することができる。
【００２２】
像の形成を筆記具を保護シートの片面に接触させることにより遂行した場合には、所望の位置に容易に像である直線を描くことができる。筆記具を複数個使用すれば複数の線を描くことができ、また筆記具を保護シートの移動方向に直交する方向に適宜のタイミングで往復移動させれば、波状の線を描くことができる。更にはまた、筆記具を適宜のタイミングで間欠的に保護シートの片面に接触させれば、点線あるいは相互に適宜の間隔をおいた直線を描くことができる。更にはまた、上記の如き筆記具の使用形態を適宜に組合せることにより、各種の線模様を描くことができる。
【００２３】
像の形成を像形成材料を保護シートの片面に噴射することにより遂行した場合には、保護シートの片面に対して非接触で像を形成できるので、筆記具を使用する形態に較べ、摩耗等の問題が生じなくなる。また精密な像を形成したい場合には、これを容易に可能とすることができる。
【００２４】
像の形成を保護シートの片面に印刷を施すことにより遂行した場合には、模様、図形、絵、写真、文字、記号、線等、様々な形態の像を幅広く選定して形成することが可能となるので、ボード、特に建築用ボードの商品価値を一層向上せしめることが可能となる。保護シートの片面への印刷は、それ自体は周知の圧胴、版胴等の組合せで、容易かつ安定して自動的に遂行することができる。
【発明を実施するための最良の形態】
【００２５】
以下、添付図面を参照して、本発明の好適実施形態について更に詳細に説明する。
【００２６】
図１には、本発明に従って構成された建築用ボードの製造方法の好適実施形態が簡略に示されている。矩形板状でよい基層２が積層域４を通して、図１において右から左に向けて実質上水平に所定速度で搬送される。積層域４は上下方向に所定間隔をおいて配設された一対の主ローラ６及び８間に規定されている。主ローラ６は時計方向に、また他の主ローラ８は反時計方向に、それぞれ所定速度で回転駆動せしめられる。主ローラ６及び８の上流側には搬送方向に間隔をおいて複数個の搬送ローラ１０が配設され、主ローラ６及び８の下流側にも同様に搬送方向に間隔をおいて複数個の搬送ローラ１０が配設されている。これらの搬送ローラ１０は反時計方向に所定速度で回転駆動せしめられる。複数個の基層２は、図１に図示する如く搬送方向に隣接する基層２の後端縁と前端縁とを相互に接触乃至近接せしめられて、搬送ローラ１０上を移動せしめられて主ローラ６及び８間に導入され、そして主ローラ６及び８間から導出されて搬送ローラ１０上を移動せしめられる。
【００２７】
上記積層域４には、更に、スラリー状にせしめられた硬化性組成物の混練物１２と保護シート１４とが供給されて基層２に積層せしめられる。保護シート１４は巻出しローラ１６にコイル状に巻き付けられた連続帯状であり、ローラ１８を介して主ローラ６に送給され、主ローラ６の周面に沿って略反転移動せしめられて積層域４に供給される。ローラ１８は保護シート１４にテンションを与えるよう位置付けられ、時計方向に所定速度で回転駆動せしめられる。保護シート１４は図１において左側斜め上方から主ローラ６に送給されるが、図１において主ローラ６の右側には、主ローラ６に対して所定間隔をおいて副ローラ２０が配設されている。この副ローラ２０は従動ローラであって、図１の反時計方向に連れ回りせしめられる。
【００２８】
主ローラ６と副ローラ２０とのニップ部位の上方には、混練物供給装置の排出ダクト２２が配置されている。排出ダクト２２からはスラリー状にせしめられた混練物１２が適宜に排出され、主ローラ６と副ローラ２０とのニップ部位の上流側に適量の混練物が存在するようにせしめられる。混練物１２は保護シート１４の片面上に付着せしめられて、主ローラ６と副ローラ２０との間を通過し、そして主ローラ６及び８間に規定されている積層域４において、保護シート１４と共に基層２の上面（表面）に積層される。このようにして、積層域４において基層２の上面に混練物１２と保護シート１４が順次に積層されて積層体が形成され、この積層体が積層域４から搬出される。
図１から容易に理解されるように、保護シート１４の、混練物１２が付着される片面は、混練物１２が付着されない他面が主ローラ６の周面の一部に巻き掛けられることにより、基層２の上面に対向するよう反転せしめられる。基層２上に積層される混練物１２の厚さは主ローラ６及び８間の間隔によって規定される。即ち、基層２上に積層される混練物１２の厚さは、主ローラ６及び８間の間隔から基層２の厚さ及び保護シート１４の厚さを差し引いた値に設定される。基層２上の積層された混練物１２及び保護シート１４は、積層域４の下流に配設されている切断域（図示していない）において、隣接する基層２間において幅方向に切断される。かくして、基層２、混練物１２及び保護シート１４が順次に積層された矩形板状の積層体が次々と形成される。
【００２９】
なお、搬送ローラ１０の各々、主ローラ６及び８、ローラ１８は、それぞれ図示しない駆動源、具体的には電動モータにより同じ周速で回転されるので、保護シート１４は、所定方向に移動させられる基層２と同期してかつ基層２の表面に対し一定の間隔をおいて移動しうるよう連続的に送給される。巻出しローラ１６は、コイル状に巻き付けられた保護シート１４の巻出し速度が上記各ローラの周速に整合するよう、その図示しない駆動源である電動モータの速度が制御される。
【００３０】
上記ローラ１８に対し、保護シート１４を挟んで対向する位置には、保護シート１４の片面に像を形成するための像形成装置３０が配設されている。図２をも参照して、像形成装置３０は、ローラ１８の軸線方向に間隔をおいて配置された一対の筆記具、この実施形態ではフェルトペン３２を含んでいる。それ自体は周知のものでよいフェルトペン３２の各々は、一対のアーム３４の一端に設けられた保持具３６に離脱自在に保持されている。アーム３４の各々の他端は、共通の軸３８に固定されている。軸３８は図示しない軸受に回動自在に支持されている。保護シート１４の片面に対向するよう位置付けられた、アーム３４の各々の一側部は、共通の軸４０に固定された一対のカム４２に対し、コイルばね４３により常時付勢されている。軸４０を図示しない駆動源、例えばステッピング・モータにより所望の角度だけ回動制御することにより、カム４２の各々を回動制御することができる。カム４２の各々の回動により、フェルトペン３２の各々は、アーム３４及び保持具３６の各々を介して、各々のペン先が、保護シート１４の片面に向かい又は離れる方向に移動せしめられる。これにより、フェルトペン３２の各々は、使用時には、そのペン先が適宜の圧力をもって保護シート１４の片面に接触せしめられ、また不使用時には、そのペン先が保護シート１４の片面から離隔せしめられる。
【００３１】
フェルトペン３２の各々のペン先は、保護シート１４を挟んでローラ１８の周面の一部に対向するよう位置付けられているので、使用時におけるフェルトペン３２の各々のペン先の圧力は、ローラ１８の周面の一部によりしっかりと受けられる。その結果、移動する保護シート１４の片面には、フェルトペン３２の各々により直線Ｌが描かれる。ローラ１８の周面は、アルミ合金等の金属、合成ゴム、合成樹脂等により適宜形成することができる。フェルトペン３２の各々は、各々のペン先が、保護シート１４の片面の対応する側縁部に近接した部位に当接されるよう配置されているので、上記直線Ｌは、保護シート１４の片面の側縁部の各々に沿って延在するよう、それらの下流側に連続して形成される。
【００３２】
保護シート１４が上記の如く、基層２の表面に沿って移動しうるよう連続して送給されている状態において、フェルトペン３２の各々のペン先が適宜の圧力をもって保護シート１４の片面に接触せしめられると、図２に示されているように、２本の直線Ｌが保護シート１４の片面の側縁部の各々に沿って連続して描かれる。なおフェルトペン３２の各々のペン先には、像形成材料である油性のインキが含浸させられている。保護シート１４の、直線Ｌが描かれた側縁部の各々が少なくとも積層域４に到達すると、直線Ｌが描かれた上記側縁部の各々を含む片面全域にスラリー状の混練物１２が付着せしめられ、基層２、基層２上に配置された混練物１２、及び混練物１２上に配置された保護シート１４とからなる積層体が順次に形成される。保護シート１４の片面は混練物１２上に密着された状態で配置せしめられる。保護シート１４の片面に直線Ｌが描かれてから積層域４に到達するまでの時間は僅かであるので、直線Ｌを形成する油性のインキが乾燥しないうちに直線Ｌの上にスラリー状の混練物１２が付着されることになる。その結果、保護シート１４の片面上に形成された直線Ｌは、密着せしめられている混練物１２の表面に直ちに転写せしめられる。
【００３３】
上記した如く、基層２上の積層された混練物１２及び保護シート１４は、積層域４の下流に配設されている図示しない切断域において、隣接する基層２間において幅方向に切断される。以上のようにして、基層２、混練物１２及び保護シート１４が順次に積層された矩形板状の積層体が次々と形成される。積層体は所要環境（例えば常温、常湿環境でよい）に所要時間放置され、これによって混練物１２が固化せしめられ、かくして図３に示すとおりの建築用ボード４４にせしめられる。建築用ボード４４において、混練物１２の固化体は、保護シート１４の片面に形成された直線Ｌが表面に転写せしめられた化粧層４６を構成する。直線Ｌは、建築用ボード４４の両側縁部に沿って延在するよう描かれ、後述する目地化粧部材４８を貼着するときの位置決め用の線（ガイドライン）として利用される。先に述べた如く、保護シート１４は混練物１２が固化した後に除去することもできるが、化粧層４６の保護層として建築用ボード４４を実際に使用するまで化粧層４６上に積層せしめておくのが好都合である。化粧層４６の表面に所定の直線Ｌが、密着された保護シート１４からの転写により形成されているので、保護シート１４を除去するのみで、直線Ｌが化粧層４６の表面における両側縁部に沿って延在するよう描かれた建築用ボード４４が得られる。
【００３４】
以上のようにして製造された建築用ボード４４は次のようにして使用される。
図４を参照して、建築用ボード４４の各々は、対応する側縁を隣接せしめて木材からなる下地４７に沿って並列に配置される。建築用ボード４４の各々の隣接側縁部の表面には、目地化粧部材４８を貼着するときの位置決め用の直線Ｌが上記の如くして予め描かれているので、目地の化粧作業を遂行するに際しては、目地化粧部材４８を、下地４７に固定された建築用ボード４４間の目地に沿ってかつ建築用ボード４４の隣接側縁部の表面に跨がって、容易かつ正確に遂行することができる。すなわち上記直線Ｌの各々は、目地化粧部材４８を貼着するためのガイドラインとなり、目地化粧部材４８はガイドラインに沿って貼着すればよい。その結果、施工時間を短縮し、施工費用を低減させることができる。
【００３５】
上記実施形態において筆記具としてフェルトペン３２が使用されているが、もちろんこれに限られるものではなく、マジックマーカー（商標名）、ボールペン等の各種のペン、鉛筆、筆等、それ自体は周知のものを適宜に使用することができる。像形成材料としては、上記油性のインキの他、水性のインキ、墨、塗料、鉛筆の芯の如き粉体を固めたものであってもよい。
【００３６】
上記実施形態において、像形成装置３０のフェルトペン３２を保護シート１４の片面に接触させることにより直線を描く場合には、フェルトペン３２の位置を適宜に設定することにより、保護シート１４の片面における幅方向（図１の表裏方向）の所望の位置に直線を容易に描くことができる。フェルトペン３２を３本以上使用すれば３本以上の直線を描くことができ、またフェルトペン３２を保護シート１４の移動方向に直交する方向（幅方向）に適宜のタイミングで往復移動させれば、図示しない波状の線を描くことができる。更にはまた、フェルトペン３２を適宜のタイミングで間欠的に保護シート１４の片面に接触させれば、点線あるいは相互に適宜の間隔をおいた直線を描くことができる。更にはまた、上記の如きフェルトペン３２の使用形態を適宜に組合せることにより、各種の線模様を描くことができる。更にはまた、像形成装置３０を保護シート１４の移動方向に間隔をおいて複数個設けることにより、更に複雑かつ精緻な線模様を形成することも可能である。
【００３７】
上記実施形態においては、直線Ｌの形成をフェルトペン３２の如き筆記具を利用して遂行しているが、これに代えて、それ自体は周知のものでよい噴射手段（図示していない）を利用して遂行することも考えられる。直線Ｌの形成を像形成材料、例えば印刷用のインキを保護シート１４の片面に適宜のノズルから噴射することにより遂行した場合には、保護シート１４の片面に対して非接触で直線Ｌを描くことができるので、フェルトペン３２等の筆記具を使用する形態に較べ、摩耗等の問題が生じなくなる。またノズルの形状を適宜設定することにより、線の幅等を容易に変えることができる。
【００３８】
建築用ボード４４における上記基層２は、建築物における下地材として広く一般に使用されている適宜の材料、例えば石膏ボード、珪酸カルシウムボード、石綿セメント珪酸カルシウムボード、木質合板、鋼板、木毛セメントボード、中空セメントボード、発泡セメントボード、コンクリートボード、モルタルボード等から形成することができる。特に、石膏ボード、珪酸カルシウムボード、石綿セメント珪酸カルシウムボード、木質合板の如き通気性ボードから基層２を形成するのが好適である。このような通気性ボードは市販されている形態をそのままで基層２として使用することができる。
図３に示す建築用ボード４４においては、市販されている石膏ボードからなる基層２が示されており、この基層２は原料の半水石膏に少量の無機細骨材等と水を混練成形して形成された芯４４ａとこの芯４４ａの表裏両面並びに両側面（図３において左側面及び右側面）を被覆している厚紙４４ｂとから構成されている。芯４４ａの上端面及び下端面は厚紙４４ａで被覆されることなく露呈せしめられている。
【００３９】
固化されることにより化粧層４６を形成するスラリー状の混練物１２は、硬化性組成物と水とを混練することによって形成することができる。混練物１２の形成に使用される硬化性組成物は、適宜の方法によって固化される無機系硬化性組成物であるのが好都合である。好適に用いられる無機系硬化性組成物としては、水酸化カルシウム、硫酸カルシウム及び酸化マグネシウム等の硬化性化合物に適宜の添加材を添加したもの、特に、左官用消石灰、漆喰、ドロマイトプラスターの如き水酸化カルシウムを主成分とする硬化性組成物、殊に、水酸化カルシウムに水性エマルジョンを添加したもの、を挙げることができる。更に、必要に応じて、短繊維、無機細骨材、微粒子、増粘剤、流動化剤、消泡剤等を添加することができる。なお図３に示す建築用ボード４４における硬化性組成物としては漆喰が使用されている。
【００４０】
保護シート１４としては通気度が不均一な多孔性シートが好適であり、その好適例としては、ポリプロピレン、ポリエチレン、ポリエステル等の合成樹脂からなる、不織布、織布等の繊維シート、密度ムラを有する耐水紙、熱融着等の方法により通気度ムラを生じさせた微多孔性樹脂シートを挙げることができる。このうち不織布の好適例としては、旭・デュポンフラッシュパン・プロダクツ株式会社製「タイベック１０５９Ｂ」（商品名）を挙げることができる。また微多孔性樹脂シートの好適例としては、ＮＦシート：株式会社トクヤマ製「ＮＦシートＮＧ」（商品名）を挙げることができる。なお図３に示す建築用ボード４４における保護シート１４としては微多孔性樹脂シートが使用されている。
【００４１】
上記のようなボードにおいて、例えば絵画像や写真画像などが転写されたものは、商品価値が極めて高い。
【００４２】
次に図５及び図６を参照して、本発明に従って構成されたボードの製造方法の他の好適実施形態を説明する。なお図５及び図６において、図１〜図４と同一部分は同一符号で示し、説明は省略する。図５及び図６に示す実施形態が図１〜図４に示す実施形態と相違するところは、像形成装置３０（図示せず）、したがってフェルトペン３２の配置が図１の位置から図５に示す位置に変更されたことであり、その他の基本的構成は略同一である。なお図５において番号４９は一対のピンチローラを示している。一対のピンチローラ４９は、保護シート１４にテンションを与えて皺を取り除く目的で、保護シート１４の両側にシートの移動方向に向かってハの字状に設置されており、保護シート１４との摩擦によって矢印で示す方向に回転せしめられる。
【００４３】
像形成装置３０したがってフェルトペン３２の各々は、主ローラ６の周面の、副ローラ２０とのニップ部位より若干下流側に配置されている。図６から明らかなように、保護シート１４の幅は、基層２の幅と略同じであるが、主ローラ６の軸方向長さは保護シート１４の幅より大きく形成され、副ローラ２０の軸方向長さは保護シート１４の幅より小さく形成されている。副ローラ２０は、保護シート１４の幅方向の中央に配置されているので、副ローラ２０の軸方向両端と、保護シート１４の対応する側縁との間には、一定の間隔が形成されている。混練物供給装置の排出ダクト２２の幅（図５の表裏方向の長さ）は、副ローラ２０の軸方向長さより若干短めに形成されている。
【００４４】
このため、排出ダクト２２から主ローラ６と副ローラ２０とのニップ部位の上流側に排出された混練物１２は、主ローラ６と副ローラ２０とのニップ部位を通過して絞られた直後において、保護シート１４への付着範囲がその幅方向に若干広げられても、副ローラ２０の軸方向両端から外側に飛び出さない程度の幅をもって、保護シート１４の片面に付着せしめられる。主ローラ６と副ローラ２０とのニップ部位を通過した保護シート１４の片面が、主ローラ６の外周面に沿って移動して、基層２の上面に対し所定の間隔をおいて合流する積層域４は、図５に示すように、主ローラ６の軸方向から見て楔状をなして絞りこまれるように形成されている。しかも保護シート１４の片面に付着せしめられた混練物１２の幅よりも保護シート１４及び基層２の幅は大きいので、保護シート１４の片面に付着した混練物１２の一部は、上記積層域４の上流側において滞留せしめられ（図５参照）、次いで主ローラ６と基層２の上面との間で絞られることにより形成される積層域４において、基層２の幅方向両側に押し出される（図６参照）。その結果、混練物１２は、保護シート１４の片面及び基層２の上面の各々の全域に略均等な厚さをもって積層せしめられる。
【００４５】
上記説明から明らかなように、主ローラ６と副ローラ２０とのニップ部位の下流側と積層域４の上流側における混練物１２の滞留域との間における、保護シート１４の片面の両側縁部には、混練物１２が全く付着されないで移動する裸の領域が存在する。上記フェルトペン３２の各々は、このような裸の領域に配置されている。保護シート１４が上記の如く、連続して送給されている状態において、フェルトペン３２の各々のペン先が適宜の圧力をもって保護シート１４の片面に接触せしめられると、図６に示されているように、２本の直線Ｌが保護シート１４の片面の側縁部の各々に沿って連続して描かれる。保護シート１４の、直線Ｌが描かれた側縁部の各々が積層域４に到達すると、直線Ｌが描かれた側縁部の各々を含む片面全域にスラリー状の混練物１２が付着せしめられ、基層２、基層２上に配置された混練物１２、及び混練物１２上に配置された保護シート１４とからなる積層体が順次に形成される。保護シート１４の片面は混練物１２上に密着された状態で配置せしめられる。保護シート１４の片面に直線Ｌが描かれてから積層域４に到達するまでの時間は図１及び図２に示す実施形態よりも短いので、直線Ｌを形成する油性のインキが殆ど乾燥しないうちに直線Ｌの上にスラリー状の混練物が付着されることになる。その結果、保護シート１４の片面上に形成された直線Ｌは、密着せしめられている混練物１２の表面に一層迅速に転写せしめられる。
図５及び図６に示す実施形態は、図１〜図４に示す実施形態と実質上同一の作用効果を奏することができることは容易に理解されるであろう。
【００４６】
上記実施形態において、保護シート１４の片面への像の形成は筆記具を利用することにより遂行されているが、像の形成を印刷により遂行することも容易に可能である。本発明に係る製造方法において、印刷の方法としては、凸版（活版）印刷、平版印刷、凹版印刷、インキジェット方式等が好適に使用可能である。インキジェット方式を除いては、いずれの印刷においてもローラ類が利用されることが好ましい。
【００４７】
次に図７を参照して、本発明に従って構成されたボードの製造方法の更に他の好適実施形態を説明する。なお図７において、図１〜図４と同一部分は同一符号で示し、説明は省略する。図７に示す実施形態が図１〜図４に示す実施形態と相違するところは、像形成装置がオフセット印刷装置５０から構成されていることであり、その他の基本的構成は略同一である。
【００４８】
平版印刷の典型例であってそれ自体は周知のものでよいオフセット印刷装置５０は、圧胴５２、圧胴５２に圧接されるゴム胴５４、ゴム胴５４に圧接される版胴５５、版胴５５に関連して配設されたインキ装置５６及び湿し装置５８を備えている。インキ装置５６はインキ槽内のインキをローラを介して版胴５５に供給する。湿し装置５８は水槽内の水をローラを介して版胴５５に供給する。版胴５５には、所望する像（所定の像）、例えば、模様、図形、絵、写真、文字、記号、線等が版として形成されている。保護シート１４は圧胴５２とゴム胴５４との間を通過せしめられるよう配設される。
【００４９】
オフセット印刷装置５０が作動すると、圧胴５２、ゴム胴５４及び版胴５５も回転せしめられる。そして先に述べた如く保護シート１４が、基層２の表面に沿って移動しうるよう連続して送給されると、版胴５５に形成された所定の像は、ゴム胴５４を介して保護シート１４の片面に印刷せしめられる。保護シート１４の片面への印刷は、このようにして容易かつ安定して自動的に遂行することができる。保護シート１４の、像が印刷された領域が積層域４に到達すると、像が印刷された領域を含む片面全域にスラリー状の混練物１２が付着せしめられ、基層２、基層２上に配置された混練物１２、及び混練物１２上に配置された保護シート１４とからなる積層体が順次に形成される。保護シート１４の片面は混練物１２上に密着された状態で配置せしめられる。その結果、上記した如く、保護シート１４の片面上に印刷された像は、密着せしめられている混練物１２の表面に直ちに転写せしめられる。
【００５０】
上記の如く像の形成を保護シート１４の片面に印刷を施すことにより遂行した場合には、模様、図形、絵、写真、文字、記号、線等、様々な形態の像を幅広く選定して形成することが可能となるので、建築用ボード４４の商品価値を一層向上せしめることが可能となる。
【００５１】
次に図８を参照して、本発明に従って構成されたボードの製造方法の更に他の好適実施形態を説明する。なお図８において、図１〜図４と同一部分は同一符号で示し、説明は省略する。図８に示す実施形態が図１〜図４に示す実施形態と相違するところは、像形成装置がグラビア印刷装置６０から構成されていることであり、その他の基本的構成は略同一である。
【００５２】
凹版印刷の典型例であってそれ自体は周知のものでよいグラビア印刷装置６０は、圧胴６２、圧胴６２に圧接される版胴６４、版胴６４にインキ槽６６内のインキを供給するローラ６５、版胴６４の外周面のインキをかき落とすためのドクター６８を含んでいる。版胴６４には、所望する像（所定の像）、例えば、模様、図形、絵、写真、文字、記号、線等が版として形成されている。保護シート１４は圧胴６２と版胴６４との間を通過せしめられるよう配設される。
【００５３】
グラビア印刷装置６０が作動すると、圧胴６２及び版胴６４も回転せしめられる。そして先に述べた如く保護シート１４が、基層２の表面に沿って移動しうるよう連続して送給されると、版胴６４に形成された所定の像は保護シート１４の片面に印刷せしめられる。保護シート１４の片面への印刷は、このようにして容易かつ安定して自動的に遂行することができる。保護シート１４の、像が印刷された領域が積層域４に到達すると、像が印刷された領域を含む片面全域にスラリー状の混練物１２が付着せしめられ、基層２、基層２上に配置された混練物１２、及び混練物１２上に配置された保護シート１４とからなる積層体が順次に形成される。保護シート１４の片面は混練物１２上に密着された状態で配置せしめられる。その結果、上記した如く、保護シート１４の片面上に印刷された像は、密着せしめられている混練物１２の表面に直ちに転写せしめられる。図８において、版胴６４を凸版とし、ドクター６８を除去すれば、凸版印刷の典型例である輪転式の像形成装置となる。なお印刷の形態をインキジェット方式とした場合には、保護シート１４の片面に対して非接触で像を形成できるので、筆記具を使用する形態に較べ、摩耗等の問題が生じなくなる。また精密な像を形成したい場合には、これを容易に可能とすることができる。
【００５４】
上記実施形態により説明した本発明に係る製造方法により製造されたボードによれば、化粧層の表面に所定の像が、密着された保護シート１４からの転写により形成されているので、保護シート１４を除去するのみで、直ちにこれを建築物の内装あるいは外装として使用することができる。その結果、比較的低コストでその商品価値を高めることができる。
【００５５】
また上記実施形態により説明した本発明に係る製造方法によれば、保護シート１４の片面上の所要部位には、混練物１２が付着される前に所定の像が形成される。したがって、像形成材料が油性又は水性のインキ、塗料、墨等であれば、それらが乾燥しないうちに像の上にスラリー状の混練物１２が付着されるので、保護シート１４の片面上に形成された像は混練物１２の表面に直ちに転写せしめられる。その結果、混練物１２が固化せしめられて生成された化粧層の表面には、該像が転写された状態で形成されることになる。他方、像形成材料が鉛筆の芯等の粉体であっても、この像の上に付着される混練物１２はスラリー状である故に、像は混練物１２の表面に直ちに転写せしめられる。その結果、混練物１２が固化せしめられて生成された化粧層の表面には、該像が転写された状態で形成されることになる。
【００５６】
本発明のボードは、比較的低コストでありながら高い商品価値を有する。
また、本発明の像の転写方法によれば、高い商品価値を有するボードを、比較的低コストでしかも自動的に、容易かつ安定して製造することができる。
【図面の簡単な説明】
【００５７】
【図１】本発明に従って構成されたボードの製造方法の好適実施形態を示す簡略図。
【図２】図１を矢印Ａ方向から見た部分概略図。
【図３】図１のＢ−Ｂ矢視断面図。
【図４】図１に示す製造方法により製造されたボードの使用状態の要部を示す斜視図。
【図５】本発明に従って構成されたボードの製造方法の他の好適実施形態を示す簡略図。
【図６】図５を矢印Ｃ方向から見た部分概略図。
【図７】本発明に従って構成されたボードの製造方法の更に他の好適実施形態を示す簡略図。
【図８】本発明に従って構成されたボードの製造方法の更に他の好適実施形態を示す簡略図。
【符号の説明】
【００５８】
２：基層    ４：積層域    ６、８：主ローラ    １０：搬送ローラ
１２：混練物    １４：保護シート    １６：巻出しローラ
２０： 副ローラ    ２２：排出ダクト    ３０：像形成装置
３２：フェルトペン    ４４：建築用ボード    ４６：化粧層
４８：目地化粧部材    ５０：オフセット印刷装置    ６０：グラビア印刷装置    Ｌ：直線
【図１】
2007205156.tif 000003
【図２】
2007205156.tif 000004
【図３】
2007205156.tif 000005
【図４】
2007205156.tif 000006
【図５】
2007205156.tif 000007
【図６】
2007205156.tif 000008
【図７】
2007205156.tif 000009
【図８】
2007205156.tif 000010